(57)【特許請求の範囲】
【請求項１】
シンボルマッピング装置で伝送データをシンボルにマッピングする方法において、
伝送データを符号化して複数の伝送ビットを出力するステップと、
第１伝送のために、前記伝送ビットのうちの少なくとも一部を、第１マッピング方式によってシンボルにマッピングするステップと、
第２伝送のために、前記伝送ビットのうちの少なくとも一部を、前記第１マッピング方式とは異なる第２マッピング方式によってシンボルにマッピングするステップとを含み、
入力ビットは、前記第１マッピング方式によってマッピングされたビットの信頼度と、前記第２マッピング方式によってマッピングされたビットの信頼度とが異なり、
前記入力ビットが、前記第１マッピング方式によってシンボルの第１ビットにマッピングされ、前記第２マッピング方式によってシンボルの第２ビットにマッピングされ、
前記第１ビットがシンボル内で相対的に高い信頼度を有する場合、前記第２ビットはシンボル内で相対的に低い信頼度を有し、
前記第２伝送では、前記第１マッピング方式によってマッピングされたビットと、前記第２マッピング方式によってマッピングされたビットとを伝送することを特徴とするシンボルマッピング方法。
【請求項２】
入力ビットは、前記第１マッピング方式によってシンボルの第１ビットにマッピングされ、前記第２マッピング方式によってシンボルの第２ビットにマッピングされ、
シンボル内での前記第１ビットの位置と前記第２ビットの位置とが異なることを特徴とする請求項１に記載のシンボルマッピング方法。
【請求項３】
前記第１マッピング方式と前記第２マッピング方式によってシンボルにマッピングされる複数のビットは、同一の信頼度を有することを特徴とする請求項１に記載のシンボルマッピング方法。
【請求項４】
前記第２伝送は、ＩＲ（Ｉｎｃｒｅｍｅｎｔａｌ  Ｒｅｄｕｎｄａｎｃｙ）モードのハイブリッド自動再送要求（ＨＡＲＱ：Ｈｙｂｒｉｄ  Ａｕｔｏｍａｔｉｃ  Ｒｅｐｅａｔ
Ｒｅｑｕｅｓｔ）方式による再伝送であることを特徴とする請求項１に記載のシンボルマッピング方法。
【請求項５】
前記第２伝送で前記伝送ビットが再び開始されることを特徴とする請求項１に記載のシンボルマッピング方法。
【発明の詳細な説明】
【技術分野】
【０００１】
本発明は、シンボルマッピング装置および方法に関する。
【背景技術】
【０００２】
情報ビット（ｉｎｆｏｒｍａｔｉｏｎ  ｂｉｔｓ）をチャネル符号化器（ｃｈａｎｎｅｌ  ｃｏｄｅｒ）で符号化すると、チャネル符号化器は、情報ビットに冗長ビット（ｒｅｄｕｎｄａｎｃｙ  ｂｉｔｓ）が追加されたコードワード（ｃｏｄｅｗｏｒｄ）を出力する。このようなチャネル符号化器の例として、畳み込みターボコード（ＣＴＣ：Ｃｏｎｖｏｌｕｔｉｏｎａｌ  Ｔｕｒｂｏ  Ｃｏｄｅ）などのシステマティックチャネル符号化器（ｓｙｓｔｅｍａｔｉｃ  ｃｈａｎｎｅｌ  ｃｏｄｅｒ）がある。
【０００３】
変調方式のうち、ＱＡＭ（Ｑｕａｄｒａｔｕｒｅ  Ａｍｐｌｉｔｕｄｅ  Ｍｏｄｕｌａｔｉｏｎ）は、伝送データの複数のビットを１つのシンボルの位相（ｐｈａｓｅ）および大きさ（ａｍｐｌｉｔｕｄｅ）情報に変換して伝送する変調方式である。１６−ＱＡＭは、１つのシンボルに４ビットを伝送することができ、６４−ＱＡＭは、１つのシンボルに６ビットを伝送することができる。
【０００４】
例えば、１６−ＱＡＭは、伝送しようとするデータを４ビット単位に分けて、それぞれを１６シンボルのうちの１つにマッピングした後、変調して伝送し、これに主に用いられるシンボルマッピング方式は、グレイマッピング（ｇｒａｙ  ｍａｐｐｉｎｇ）である。グレイマッピングによって変調された４ビットのシンボルを受信した場合、受信シンボルの各ビットの信頼度が異なる。受信ビットの信頼度は、例えば、対数尤度比（ＬＬＲ：Ｌｏｇ  Ｌｉｋｅｌｉｈｏｏｄ  Ｒａｔｉｏ）の値で表すことができる。このような信頼度の差により、コードワードをシンボルにどのようにマッピングするかによって受信シンボルの受信性能、例えば、ブロックエラー率（ＢＬＥＲ：Ｂｌｏｃｋ  Ｅｒｒｏｒ  Ｒａｔｅ）が異なることがある。
【０００５】
また、無線通信システムでは、伝送されたパケットが受信端で正常に受信されない場合、当該パケットを再伝送する方式が用いられる。再伝送方式として、例えば、ハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）方式がある。このような再伝送方式において、再伝送パケットの受信性能を向上させるためにも、信頼度を考慮する必要がある。
【０００６】
背景技術に記載された事項は、単に本発明の背景に関する理解を助けるためのものであり、当業者に公知の従来の技術と関係のない情報を含むこともある。
【先行技術文献】
【特許文献】
【０００７】
【特許文献１】ＵＳ  ２００３／００７４７６  Ａ１
【特許文献２】ＵＳ  ２００５／２０４２５１  Ａ１
【特許文献３】ＷＯ  ２００７／０２１１２２  Ａ１
【発明の概要】
【発明が解決しようとする課題】
【０００８】
本発明が解決しようとする技術的課題は、受信性能を向上させることができるシンボルマッピング方法および装置を提供することである。
【課題を解決するための手段】
【０００９】
本発明の一特徴によれば、シンボルマッピング装置で伝送データをシンボルにマッピングする方法が提供される。この方法は、伝送データを符号化してコードワードを出力するステップと、第１伝送のために、前記コードワードを、第１マッピング方式によってシンボルにマッピングするステップと、第２伝送のために、前記コードワードを、前記第１マッピング方式とは異なる第２マッピング方式によってシンボルにマッピングするステップとを含む。
【００１０】
前記コードワードのいずれか１つのビットは、前記第１マッピング方式によってマッピングされたビットの信頼度と、前記第２マッピング方式によってマッピングされたビットの信頼度とが異なることがある。
【００１１】
前記コードワードのいずれか１つのビットは、前記第１マッピング方式によってシンボルの第１ビットにマッピングされ、前記第２マッピング方式によってシンボルの第２ビットにマッピングされることができる。この場合、シンボル内での前記第１ビットの位置と前記第２ビットの位置とが異なるか、前記第２マッピング方式に使用するコンステレーションのコンステレーションポイント（ｃｏｎｓｔｅｌｌａｔｉｏｎ  ｐｏｉｎｔ）は、前記第１マッピング方式に使用するコンステレーションのコンステレーションポイントに対してシフトされていることがある。
【００１２】
前記第２伝送は、ＩＲ（Ｉｎｃｒｅｍｅｎｔａｌ  Ｒｅｄｕｎｄａｎｃｙ）モードのハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）方式による再伝送であり得る。
【００１３】
本発明の他の特徴によれば、チャネル符号化器およびシンボルマッピング器を備えるシンボルマッピング装置が提供される。前記チャネル符号化器は、伝送データを符号化してコードワードを出力し、前記シンボルマッピング器は、前記コードワードをシンボルにマッピングし、再伝送の際にコードワード単位でマッピング方式を変更しながら、前記コードワードをシンボルにマッピングする。
【００１４】
本発明のさらに他の特徴によれば、シンボルマッピング装置で伝送データをシンボルにマッピングする方法が提供される。この方法は、伝送データを符号化して伝送ビットを出力するステップと、前記伝送ビットを循環バッファに格納するステップと、前記伝送ビットを前記循環バッファから読み出してシンボルにマッピングするステップと、前記循環バッファの端（ｅｎｄ）で前記伝送ビットを再び読み出すたびに、前記循環バッファから読み出したビットを前記シンボルにマッピングするマッピング方式を変更するステップとを含む。
【発明の効果】
【００１５】
本発明の一実施形態によれば、コードワード単位でマッピング方式を変更することにより、互いに異なるマッピング方式が相互補完する役割を果たし、ブロックエラー率、ダイバーシティ利益などの受信性能を向上させることができる。
【図面の簡単な説明】
【００１６】
【図１】１６−ＱＡＭのグレイマッピングの一例を示す図である。
【図２】本発明の一実施形態にかかるシンボルマッピング装置の概略ブロック図である。
【図３】本発明の一実施形態にかかるシンボルマッピング方法を概略的に示す図である。
【図４】本発明の一実施形態にかかるシンボルマッピング方法を概略的に示す図である。
【図５】本発明の一実施形態にかかる循環バッファを示す図である。
【図６】本発明の一実施形態にかかるＢＳＭ方式を示す図である。
【図７】本発明の一実施形態にかかるＢＳＭ方式を示す図である。
【図８】本発明の一実施形態にかかるＢＳＭ方式を示す図である。
【図９】本発明の一実施形態にかかるＢＳＭ方式を示す図である。
【図１０】本発明の一実施形態にかかるＢＳＭ方式を示す図である。
【図１１】本発明の一実施形態にかかるＢＳＭ方式を示す図である。
【発明を実施するための形態】
【００１７】
以下、添付した図面を参考にして、本発明の実施形態について、本発明の属する技術分野における通常の知識を有する者が容易に実施できるように詳細に説明する。しかし、本発明は、様々な異なる形態で実現可能であり、ここで説明する実施形態に限定されない。そして、図面において、本発明を明確に説明するために、説明に不要な部分は省略しており、明細書の全体にわたって、類似の部分については、類似の図面のシーケンスを付けた。
【００１８】
明細書の全体において、ある部分がある構成要素を「含む」または「備える」とする時、これは、特に反対の記載がない限り、他の構成要素を除外するのではなく、他の構成要素をさらに含む（備える）ことができることを意味する。
【００１９】
まず、伝送データを変調する場合におけるシンボル内の各ビットの信頼度について、図１を参照して説明する。
【００２０】
図１は、１６−ＱＡＭのグレイマッピングの一例を示す図である。図１では、変調方式の一例として１６−ＱＡＭを、シンボルマッピング方式の一例としてグレイマッピングを、信頼度の一例としてＬＬＲを用いて説明する。
【００２１】
図１に示すように、グレイマッピングでは、隣接するシンボル間では１ビットの値が異なるだけであり、残りのビットの値は同一である。１つの１６−ＱＡＭコンステレーションに対してグレイマッピングが複数個存在することがあり、図１は、複数のグレイマッピングのうち一例を示し、図１のシンボルでは、４個のビットがｉ１、ｉ２、ｑ１、ｑ２の順に位置する。
【００２２】
この場合、同相（ｉｎ−ｐｈａｓｅ）成分でマッピングされるビットのうち、第１ビットｉ１の平均ＬＬＲ値が第２ビットｉ２の平均ＬＬＲ値より大きく、直角（ｑｕａｄｒａｔｕｒｅ）成分でマッピングされるビットのうち、第１ビットｑ１の平均ＬＬＲ値が第２ビットｑ２の平均ＬＬＲ値より大きい。そのため、図１では、４ビットのシンボルのうち、第１ビットｉ１および第３ビットｑ１が第２ビットｉ２および第４ビットｑ２に比べて信頼度が高い。
【００２３】
このように、グレイマッピングなどのシンボルマッピング方式において、各ビットの信頼度はその位置によって異なり得るため、チャネル符号化器の出力であるコードワードのビットをシンボルにマッピングする方式（ｂｉｔ−ｔｏ−ｓｙｍｂｏｌ  ｍａｐｐｉｎｇ、以下、「ＢＳＭ」とする。）により、伝送パケットのブロックエラー率などの受信性能に影響することがある。以下、受信性能を向上させることができる実施形態について、図２〜図１１を参照して説明する。
【００２４】
図２は、本発明の一実施形態にかかるシンボルマッピング装置の概略ブロック図であり、図３および図４は、それぞれ本発明の一実施形態にかかるシンボルマッピング方法を概略的に示す図である。図５は、本発明の一実施形態にかかる循環バッファを示す図である。
【００２５】
図２〜図４では、説明の便宜上、符号化率が１／３であり、伝送ブロック、つまり、伝送パケットの長さが情報ビットの長さの２倍に相当する場合を例示する。
【００２６】
図２に示すように、本発明の一実施形態にかかるシンボルマッピング装置２００は、チャネル符号化器２１０と、シンボルマッピング器２２０と、送信器２３０とを備える。
【００２７】
図３に示すように、まず、チャネル符号化器２１０、例えば、システマティックチャネル符号化器は、伝送データ３１０を符号化する。すると、チャネル符号化器２１０では、複数の情報ビットに複数の冗長ビットが追加された形態のコードワード３２０が出力される。情報ビットは、符号化前の伝送データと同一のビットであり、冗長ビットは、伝送データに関する冗長情報を含んでいるビットである。チャネル符号化器２１０の符号化率を１／３とすると、チャネル符号化器２１０の出力であるコードワード３２０は、情報ビット３１０の３倍の長さを有する。
【００２８】
シンボルマッピング器２２０は、初期伝送のために、コードワード３２０のうち、伝送ブロックの長さに相当するビットを１つのＢＳＭ方式（以下、「ＢＳＭ方式１」という。）でシンボルにマッピングし、送信器２３０は、このようにマッピングされたシンボルからなる伝送ブロックを受信端に伝送する（初期伝送）。一方、シンボルマッピング器２２０がシンボルマッピングを行う前に、情報ビットおよび冗長ビットの少なくとも一部はパンクチャされることができ、また、情報ビットおよび冗長ビットはそれぞれインターリーブされることができる。
【００２９】
初期伝送後に、受信端から否定応答（ＮＡＫ：Ｎｅｇａｔｉｖｅａｃ  Ｋｎｏｗｌｅｄｇｅ）を受信する場合、送信器２３０は、コードワード３２０のうち、初期伝送で伝送されていない冗長ビットを再伝送する。このような再伝送方式として、ＩＲ（Ｉｎｃｒｅｍｅｎｔａｌ  Ｒｅｄｕｎｄａｎｃｙ）モードのＨＡＲＱ方式が使用可能である。一方、第２伝送で伝送する冗長ビットの長さが伝送ブロックの長さより短い場合に、冗長ビットとともにコードワード３２０の情報ビットが伝送されることができる。このため、第２伝送において、シンボルマッピング器２２０は、伝送ブロックの長さに相当するビット（図３では、コードワード３２０の冗長ビットのうちの一部とコードワード３２０の情報ビット）を他のＢＳＭ方式（以下、「ＢＳＭ方式２」という。）でシンボルにマッピングし、送信器２３０は、このようにマッピングされたシンボルからなる伝送ブロックを受信端に伝送する。
【００３０】
第２伝送後に、受信端から否定応答を受信する場合、送信器２３０は、コードワード３２０のうち、第２伝送で伝送されていない冗長ビットを再伝送する。このため、第３伝送において、シンボルマッピング器２２０は、伝送ブロックの長さに相当するビット（図３では、コードワード３２０の冗長ビット）をさらに他のＢＳＭ方式（以下、「ＢＳＭ方式３」という。）でシンボルにマッピングし、送信器２３０は、このようにマッピングされたシンボルからなる伝送ブロックを受信端に伝送する。
【００３１】
この場合、受信端は、初期伝送および再伝送で受信したビットをすべて利用して情報ビットを復元する。シンボルマッピング器２２０は、受信端での受信性能を向上させることができるように、ＢＳＭ方式１ないし３を設定する。このため、シンボルマッピング器２２０は、ＢＳＭ方式２がＢＳＭ方式１を補完するように設定することができる。例えば、シンボルマッピング器２２０は、あるシンボルが、１回はＢＳＭ方式１でマッピングされて伝送され、もう１回はＢＳＭ方式２でマッピングされて伝送される場合、優れた受信性能が得られるように、ＢＳＭ方式１および２を設定することができる。そして、シンボルマッピング器２２０は、ＢＳＭ方式３を、ＢＳＭ方式１および２でマッピングされて受信されたシンボルと、ＢＳＭ方式３でマッピングされて受信されたシンボルとを結合する場合に、最大のダイバーシティ利得が得られるように設定することができる。この場合、ＢＳＭ方式２は、ＢＳＭ方式１に最適化されて設定されるため、ＢＳＭ方式２とＢＳＭ方式３との相互補完性は、ＢＳＭ方式１とＢＳＭ方式３との相互補完性およびＢＳＭ方式１とＢＳＭ方式２との相互補完性に比べて低下する。そのため、図３に示すように、第２伝送でＢＳＭ方式２でマッピングされ、第３伝送でＢＳＭ方式３でマッピングされて伝送された冗長ビットの場合、他のビットに比べてダイバーシティ利得が低下する。
【００３２】
一方、図４に示すように、シンボルマッピング器２２０は、伝送単位でＢＳＭ方式を変更する図３に示す実施形態とは異なり、コードワード３２０単位でＢＳＭ方式を変更する。つまり、シンボルマッピング器２２０は、１回はコードワード３２０をＢＳＭ方式１でシンボルにマッピングし、次回はコードワード３２０をＢＳＭ方式２でシンボルにマッピングする。
【００３３】
このため、図５に示すように、シンボルマッピング器２２０は、コードワードｄ０、ｄ１、・・・、ｄＮ−１、ｄＮ、ｄＮ＋１、・・・、ｄ２Ｎ−１、ｄ２Ｎ、ｄ２Ｎ＋１、・・・、ｄ３Ｎ−１を循環バッファ５１０に格納した後に、循環バッファ５１０の端でコードワードｄ０、ｄ１、・・・、ｄＮ−１、ｄＮ、ｄＮ＋１、・・・、ｄ２Ｎ−１、ｄ２Ｎ、ｄ２Ｎ＋１、・・・、ｄ３Ｎ−１を再び読み出すたびに、ＢＳＭ方式を変更することができる。
【００３４】
すると、送信器２３０は、初期伝送では、ＢＳＭ方式１でマッピングされた情報ビットと冗長ビットからなる伝送ブロックを受信端に伝送する。初期伝送後に、受信端から否定応答を受信する場合、送信器２３０は、ＢＳＭ方式１でマッピングされた冗長ビットと、ＢＳＭ方式２でマッピングされた伝送ビットからなる伝送ブロックを受信端に伝送する。第２伝送後に、受信端から否定応答を受信する場合、送信器２３０は、ＢＳＭ方式２でマッピングされた冗長ビットからなる伝送ブロックを伝送する。
【００３５】
この場合、コードワード３２０のすべてのビットが、１回はＢＳＭ方式１でマッピングされて伝送され、もう１回はＢＳＭ方式２でマッピングされて伝送されるため、ＢＳＭ方式１とＢＳＭ方式２とが相互補完する役割を果たし、ブロックエラー率、ダイバーシティ利得などの受信性能が向上することができる。
【００３６】
シンボルマッピング器２２０は、ＢＳＭ方式１で低い信頼度を有するビットに割り当てられたビットを、ＢＳＭ方式２ではより高い信頼度を有するビットに割り当て、ＢＳＭ方式１で高い信頼度を有するビットに割り当てられたビットを、ＢＳＭ方式２ではより低い信頼度を有するビットに割り当てることにより、ＢＳＭ方式１とＢＳＭ方式２とを相互補完的にすることができる。以下、ＢＳＭ方式１とＢＳＭ方式２とを相互補完的に設定する実施形態について、図６〜図９を参照して詳細に説明する。
【００３７】
図６および図７は、それぞれ本発明の一実施形態にかかるＢＳＭ方式を示す図である。図６および図７では、図１に示す１６−ＱＡＭのグレイマッピングを用いるものと仮定する。
【００３８】
図６に示すように、シンボルマッピング器２２０は、コードワード３２０のビットを順にシンボルの４ビットｉ１、ｉ２、ｑ１、ｑ２にマッピングする。このようにすると、コードワード３２０の奇数番目のビットがｉ１およびｑ１ビットにマッピングされ、コードワード３２０の偶数番目のビットがｉ２およびｑ２ビットにマッピングされる。つまり、シンボルマッピング器２２０は、奇数番目のビットを偶数番目のビットに比べて高い信頼度を有するビットにマッピングする。
【００３９】
図７に示すように、シンボルマッピング器２２０は、図６において、ｉ１およびｑ１ビットにマッピングしたビットをｉ２およびｑ２ビットにマッピングし、図６において、ｉ２およびｑ２ビットにマッピングしたビットをｉ１およびｑ１ビットにマッピングする。このようにすると、コードワード３２０の奇数番目のビットがｉ２およびｑ２ビットにマッピングされ、コードワード３２０の偶数番目のビットがｉ１およびｑ１ビットにマッピングされる。つまり、シンボルマッピング器２２０は、偶数番目のビットを奇数番目のビットに比べて高い信頼度を有するビットにマッピングする。
【００４０】
これにより、シンボルマッピング器２２０は、コードワードを、１回は図６および図７に示すＢＳＭ方式のうち１つの方式でマッピングし、もう１回は図６および図７に示すＢＳＭ方式のうち他の方式でマッピングする。すると、シンボルマッピング器２２０は、高い信頼度を有するビットにマッピングされていたビットを、再伝送ではより低い信頼度を有するビットにマッピングし、低い信頼度を有するビットにマッピングされていたビットを、再伝送ではより低い信頼度を有するビットにマッピングすることができる。
【００４１】
図８および図９は、それぞれ本発明の他の実施形態にかかるＢＳＭ方式を示す図である。図８および図９では、１６−ＱＡＭのグレイマッピングを用いるものと仮定する。
【００４２】
図８および図９に示すように、シンボルマッピング器２２０は、図１に示すコンステレーションにコンステレーションシフトを適用したコンステレーションを用いてコードワードをシンボルにマッピングする。
【００４３】
図８に示すように、シンボルマッピング器２２０は、コンステレーションの各象限（ｑｕａｄｒａｎｔ）で４個のコンステレーションポイントが中心に集まる形態でコンステレーションシフトを適用する。すると、互いに異なる値のｉ１またはｑ１ビットを有する２つのシンボル間の距離が遠くなり、互いに異なる値のｉ２またはｑ２ビットを有する２つのシンボル間の距離が近くなるため、ｉ１およびｑ１ビットの信頼度は図１に比べてより高くなり、ｉ２およびｑ２ビットの信頼度は図１に比べてより低くなる。
【００４４】
図９に示すように、シンボルマッピング器２２０は、コンステレーションの各象限で４個のコンステレーションポイントが中心から遠くなる形態でコンステレーションシフトを適用する。すると、互いに異なる値のｉ１またはｑ１ビットを有する２つのシンボル間の距離が近くなり、互いに異なる値のｉ２またはｑ２ビットを有する２つのシンボル間の距離が遠くなるため、ｉ１およびｑ１ビットの信頼度は図１に比べて低くなり、ｉ２およびｑ２ビットの信頼度は図１に比べて高くなる。
【００４５】
これにより、シンボルマッピング器２２０は、コードワードを、１回は図８および図９に示すコンステレーションのうち１つのコンステレーションを使用するＢＳＭ方式でマッピングし、もう１回は図８および図９に示すコンステレーションのうち他のコンステレーションを使用するＢＳＭ方式でマッピングすることができる。すると、シンボルマッピング器２２０は、高い信頼度を有するビットにマッピングされていたビットを、再伝送ではより低い信頼度を有するビットにマッピングし、低い信頼度を有するビットにマッピングされていたビットを、再伝送ではより高い信頼度を有するビットにマッピングすることができる。
【００４６】
図１０および図１１は、それぞれ本発明の他の実施形態にかかるＢＳＭ方式を示す図である。
【００４７】
図１０および図１１に示すように、送信器２３０は、複数のアンテナ（アンテナ１、アンテナ２）を含む。
【００４８】
図１０に示すように、シンボルマッピング器２２０は、コードワードの一部ビットｉ１’、ｉ２’、ｑ１’、ｑ２’を、複数のアンテナのうち、アンテナ１を介して送信されるビットにマッピングし、コードワードの他の一部ビットｉ１”、ｉ２”、ｑ１”、ｑ２”を、複数のアンテナのうち、アンテナ２を介して送信されるビットにマッピングする。
【００４９】
図１１に示すように、シンボルマッピング器２２０は、コードワードのうち、図１０において、アンテナ１を介して送信されたビットｉ１’、ｉ２’、ｑ１’、ｑ２’を、複数のアンテナのうち、アンテナ２を介して送信されるビットにマッピングし、コードワードのうち、図１０において、アンテナ２を介して送信されたビットｉ１”、ｉ２”、ｑ１”、ｑ２”を、複数のアンテナのうち、アンテナ１を介して送信されるビットにマッピングする。
【００５０】
これにより、シンボルマッピング器２２０は、コードワードを、１回は図１０および図１１に示すＢＳＭ方式のうち１つの方式でマッピングし、もう１回は図１０および図１１に示すＢＳＭ方式のうち他の方式でマッピングすることができる。すると、アンテナ１を介して送信されたビットが、次回の伝送ではアンテナ２を介して伝送されるため、空間ダイバーシティ利得を得ることができる。
【００５１】
このように、本発明の実施形態にかかるシンボルマッピング装置２００は、コードワード単位でＢＳＭ方式を変更することにより、最初に伝送されたコードワードの各ビットと再伝送されたコードワードの各ビットとが相互補完する役割を果たし、ブロックエラー率、ダイバーシティ利得などの受信性能を向上させることができる。この場合、ＢＳＭ方式でシンボル内でマッピングされるビットを変更する方式（図６および図７を参照）と、シンボルにマッピングする際に使用するコンステレーションのコンステレーションポイントをシフトする方式（図８および図９を参照）と、アンテナの間でビットを再配列する方式（図１０および図１１を参照）とをそれぞれ用いるか、これら３つの方式のうち少なくとも２つの方式を組み合わせて用いることができる。
【００５２】
一方、本発明の実施形態では、シンボルあたり４個のビットが存在する１６−ＱＡＭを挙げて説明したが、本発明の実施形態にかかるシンボルマッピング方法は、１６−ＱＡＭ以外の変調方式（例えば、２２ｎＱＡＭ）にも適用することができる。
【００５３】
また、本発明の実施形態では、コードワードの長さが、情報ビットの長さ（Ｎ）の３倍（３Ｎ）である場合を挙げて説明したが、コードワードの長さと情報ビットの長さとの関係はこれに限定されない。例えば、コードワードの長さが、情報ビットの長さ（Ｎ）の２倍（２Ｎ）、４倍（４Ｎ）、５倍（５Ｎ）などとなってもよい。
【００５４】
本発明の実施形態は、以上で説明した装置および／または方法によってのみ実現されるものではなく、本発明の実施形態の構成に対応する機能を実現するためのプログラム、そのプログラムが記録された記録媒体などによっても実現可能である。
【００５５】
以上、本発明の実施形態について詳細に説明したが、本発明の権利範囲はこれに限定されるものではなく、下記の請求の範囲で定義している本発明の基本概念を利用した当業者の様々な変形および改良形態も、本発明の権利範囲に属する。
【図１】
0005399495.tif 000002
【図２】
0005399495.tif 000003
【図３】
0005399495.tif 000004
【図４】
0005399495.tif 000005
【図５】
0005399495.tif 000006
【図６】
0005399495.tif 000007
【図７】
0005399495.tif 000008
【図８】
0005399495.tif 000009
【図９】
0005399495.tif 000010
【図１０】
0005399495.tif 000011
【図１１】
0005399495.tif 000012